【手続補正書】
【提出日】平成20年7月15日(2008.7.15)
【手続補正１】
【補正対象書類名】明細書
【補正対象項目名】発明の名称
【補正方法】変更
【補正の内容】
【発明の名称】画像処理装置及びインデックス作成方法
【手続補正２】
【補正対象書類名】明細書
【補正対象項目名】特許請求の範囲
【補正方法】変更
【補正の内容】
【特許請求の範囲】
【請求項１】  撮像手段で撮影された映像データ及び前記映像データの撮影時における前記撮像手段の操作状況を示す操作情報を取得する取得手段と、
前記取得手段により取得された操作情報に基づき前記撮像手段の操作内容を判定する判定手段と、
前記判定手段により同一種の操作内容と判定された二つの連続した操作情報の間における操作時間の時間間隔を算出する時間間隔算出手段と、
前記時間間隔算出手段により算出された時間間隔が所定期間より長いか否かを判断する第１の判断手段と、
前記第１の判断手段により時間間隔が前記所定期間より長いと判断されると、前記二つの操作情報のうち操作時間が早い方の操作情報に対応するフレームの映像データをインデックスデータとして選択する選択手段とを有することを特徴とする画像処理装置。
【請求項２】  前記第１の判断手段により前記時間間隔が前記所定期間より短いと判断されると、前記操作情報で示される操作量の積算値を算出する積算値算出手段と、
前記積算値算出手段により算出された積算値が所定値以上であるか否かを判断する第２の判断手段とを有し、
前記選択手段は更に、前記第１の判断手段により時間間隔が前記所定期間より長いと判断され、且つ、前記第２の判断手段により前記所定値以上であると判断されると、先に取得された方の操作情報に対応するフレームの映像データを前記インデックスデータとして選択することを特徴とする請求項１記載の画像処理装置。
【請求項３】  前記積算値算出手段は、前記操作情報が所定方向の操作量を示されている場合には前記操作量を加算し、前記所定方向とは反対方向の操作量を示されている場合には前記操作量を減算することにより操作量の積算値を算出することを特徴とする請求項２記載の画像処理装置。
【請求項４】  前記取得手段は前記映像データと共に前記映像データに付加されている前記操作情報を入力する入力手段と、前記入力手段より入力された操作情報を検出する検出手段とを有し、
前記選択手段は前記検出手段の出力に応じて前記検出された操作情報に対応するフレームの映像データを抽出してメモリに記憶する記憶手段を有することを特徴とする請求項１記載の画像処理装置。
【請求項５】  撮像手段で撮影された映像データ及び前記映像データの撮影時における前記撮像手段の操作状況を示す操作情報を取得する取得ステップと、
前記取得ステップにより取得された操作情報に基づき前記撮像手段の操作内容を判定する判定ステップと、
前記判定ステップにより同一種の操作内容と判定された二つの連続した操作情報の間における操作時間の時間間隔を算出する時間間隔算出ステップと、
前記時間間隔算出ステップにより算出された時間間隔が所定期間より長いか否かを判断する判断ステップと、
前記判断ステップにより時間間隔が前記所定期間より長いと判断されると、前記二つの操作情報のうち操作時間が早い方の操作情報に対応するフレームの映像データをインデックスデータとして選択する選択ステップとを有することを特徴とするインデックス作成方法。
【手続補正３】
【補正対象書類名】明細書
【補正対象項目名】０００１
【補正方法】変更
【補正の内容】
【０００１】
【発明の属する技術分野】
本発明は、動画像のブラウジングや検索に必要なインデキシング技術に関し、特に、動画像中のフレームを代表画像として取り出してインデックスとする技術に関するものである。
【手続補正４】
【補正対象書類名】明細書
【補正対象項目名】０００８
【補正方法】変更
【補正の内容】
【０００８】
そこで、本発明の目的は、一つのカメラ操作が発生し、その操作が停止してから再び同じカメラ操作が行われるまでの期間が所定の期間よりも長いときに、一連のカメラ操作の終了を検出し、そのカメラ操作の終了時の画像データをインデックスのキーフレームとして利用することにより、利用者にとって有用なインデックスを提示することにある。
【手続補正５】
【補正対象書類名】明細書
【補正対象項目名】０００９
【補正方法】変更
【補正の内容】
【０００９】
また、本発明の目的は、例えば、カメラ操作が円滑でなかった場合に撮影されたコンテンツに対しても、冗長な画像データをインデックスのキーフレームとして抽出されることを防止し、利用者に適切なインデックスのみを提示することにある。
【手続補正６】
【補正対象書類名】明細書
【補正対象項目名】００１０
【補正方法】変更
【補正の内容】
【００１０】
【課題を解決するための手段】
本発明の画像処理装置は、撮像手段で撮影された映像データ及び前記映像データの撮影時における前記撮像手段の操作状況を示す操作情報を取得する取得手段と、前記取得手段により取得された操作情報に基づき前記撮像手段の操作内容を判定する判定手段と、前記判定手段により同一種の操作内容と判定された二つの連続した操作情報の間における操作時間の時間間隔を算出する時間間隔算出手段と、前記時間間隔算出手段により算出された時間間隔が所定期間より長いか否かを判断する第１の判断手段と、前記第１の判断手段により時間間隔が前記所定期間より長いと判断されると、前記二つの操作情報のうち操作時間が早い方の操作情報に対応するフレームの映像データをインデックスデータとして選択する選択手段とを有することを特徴とする。
本発明のインデックス作成方法は、撮像手段で撮影された映像データ及び前記映像データの撮影時における前記撮像手段の操作状況を示す操作情報を取得する取得ステップと、前記取得ステップにより取得された操作情報に基づき前記撮像手段の操作内容を判定する判定ステップと、前記判定ステップにより同一種の操作内容と判定された二つの連続した操作情報の間における操作時間の時間間隔を算出する時間間隔算出ステップと、前記時間間隔算出ステップにより算出された時間間隔が所定期間より長いか否かを判断する判断ステップと、前記判断ステップにより時間間隔が前記所定期間より長いと判断されると、前記二つの操作情報のうち操作時間が早い方の操作情報に対応するフレームの映像データをインデックスデータとして選択する選択ステップとを有することを特徴とする。
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】